(57)【要約】      （修正有）【課題】室内機に備えられたファンガードで発生した結露水が室内に落下することを抑制できる空気調和機を提供する。【解決手段】ファンガード３０は、縦桟３１および横桟を互いに溶接により固定して形成される。横桟の両端部（平坦部３６）には、屈曲されていない縦桟３１ｂが溶接される。これ以外の箇所は、屈曲部３５を有する縦桟３１ａおよび縦桟３１ｃが溶接される。このファンガードを室内機の吹出口に取り付けたとき、吹出口から吹き出される空気の流速が遅い箇所に、ファンガードの平坦部が配置される。【選択図】図３
2014145508.tif 000002
【特許請求の範囲】
【請求項１】
室内機筺体の天面に吸込口を有するとともに前記室内機筺体の前面下部に吹出口を有し、
前記吸込口と前記吹出口とを繋ぐ通風路中に配置され、前記吸込口から室内空気を吸い込み前記吹出口から吹き出すための送風ファンを備えた空気調和機であって、
前記吹出口には、同吹出口から吹き出される空気を左右方向に偏向する左右風向板と、同左右風向板より下流側に配置され前記吹出口から吹き出される空気を上下方向に偏向する上下風向板と、前記左右風向板と前記上下風向板との間に配置され前記左右風向板の形状に対応して前記吹出口の下流側に凸となるよう形成された屈曲部を有するファンガードとが備えられ、
前記ファンガードは、長手方向の両端部に形成された平坦部を備え、同平坦部の下端部は前記通風路の下端部 に接続されていることを特徴とする空気調和機。
【発明の詳細な説明】
【技術分野】
【０００１】
本発明は、空気調和機に関し、詳しくは、室内機内部に手指が入ることを防止するファンガードの構造に関するものである。
【背景技術】
【０００２】
従来、空気調和機では、室内機の吹出口から室内機内部へ手指を入れられないようにするために、吹出口にファンガードを設けたものが知られている（例えば、特許文献１参照）。特許文献１に記載の空気調和機では、室内機筐体の前面下方に設けられ左右方向に長い四方形状に形成された吹出口に、吹出口から室内へ吹き出される空気を上下に偏向させる上下風向板と、左右に偏向させる左右風向板とが備えられており、吹出口の上流側（室内機内部側）に左右風向板が、吹出口の下流側（室内側）に上下風向板が、それぞれ配置されている。そして、左右風向板と上下風向板の間に、ファンガードが配置されている。
【０００３】
ファンガードは、例えば、太さ１ｍｍ程度の鉄線からなる複数の縦桟と横桟とが溶接されて格子状に形成されており、隣り合う横桟の間隔は人の手指が入らない寸法とされている。また、縦桟は、左右風向板に接触しないように、また、上下風向板の上下への回動範囲を確保するために、吹出口の下流側に向けて凸となるよう複数回（特許文献１では、２回）屈曲されている。
【先行技術文献】
【特許文献】
【０００４】
【特許文献１】特開平１０−１３２３１８号公報
【発明の概要】
【発明が解決しようとする課題】
【０００５】
空気調和機が冷房運転を行っているときは、吹出口から吹き出される冷却空気によってファンガードが冷やされてファンガードで結露が発生する虞があり、特に、吹出口の左右両端部に対応するファンガードでは、吹出口から吹き出される空気量が少ないことに起因して結露水の発生量が多くなる虞がある。特許文献１に記載の空気調和機のように、ファンガードを吹出口の下流側に向けて凸となるよう屈曲させている場合は、ファンガードの左右両端部で発生した多量の結露水が縦桟の屈曲部に溜まって水滴となり、上下風向板に滴下し上下風向板を伝って室内に滴下する、あるいは、直接室内に滴下する虞があった。
【０００６】
本発明は以上述べた問題点を解決するものであって、室内機に備えられたファンガードで発生した結露水が室内に落下することを抑制できる空気調和機を提供することを目的とする。
【課題を解決するための手段】
【０００７】
本発明は上述の課題を解決するものであって、本発明の空気調和機は、室内機筺体の天面に吸込口を有するとともに室内機筺体の前面下部に吹出口を有し、吸込口と吹出口とを繋ぐ通風路中に配置され、吸込口から室内空気を吸い込み吹出口から吹き出すための送風ファンを備えたものであって、吹出口には、吹出口から吹き出される空気を左右方向に偏向する左右風向板と、左右風向板より下流側に配置され吹出口から吹き出される空気を上下方向に偏向する上下風向板と、左右風向板と上下風向板との間に配置され左右風向板の形状に対応して吹出口の下流側に凸となるよう形成された屈曲部を有するファンガードとが備えられたものである。そして、ファンガードは、長手方向の両端部に形成された平坦部を備え、平坦部の下端部は通風路の下端部に接続されているものである。 
【発明の効果】
【０００８】
本発明の空気調和機は、ファンガードの長手方向の両端部は平坦部となっており、屈曲部は平坦部より吹出口の下流側に配置されるとともに、平坦部の下端部が通風路の下端部に取り付けられているので、結露水の発生量が多くなるファンガードの長手方向の両端部において、発生した結露水が上下風向板に滴下する、あるいは、直接室内に滴下することなく、平坦部を伝って通風路の下端部へと流れる。従って、ファンガードの長手方向の両端部で発生した結露水が、室内機が設置された室内に滴下することを抑制できる。
【図面の簡単な説明】
【０００９】
【図１】本発明の実施形態における、空気調和機の室内機の外観斜視図である。
【図２】本発明の実施形態における、空気調和機の室内機の断面図であり、（Ａ）は図１におけるＸ−Ｘ断面図、（Ｂ）は図１におけるＹ−Ｙ断面図である。
【図３】本発明の実施形態における、ファンガードの外観斜視図である。
【発明を実施するための形態】
【００１０】
以下、本発明の実施の形態を、添付図面に基づいて詳細に説明する。実施形態としては、住居の室内の壁面に設置される空気調和機の室内機を例に挙げて説明することとする。尚、本発明は以下の実施形態に限定されることはなく、本発明の主旨を逸脱しない範囲で種々変形することが可能である。
【実施例】
【００１１】
図１は、本発明による空気調和機の室内機１の外観斜視図である。また、図２は、室内機１の断面図である。室内機１は、横長の略直方体形状とされた本体筺体である室内機筐体１０を有している。室内機筐体１０の前面には、樹脂材を用いて略四方形状に形成されて室内機筐体１０の前面を覆うように配置され、室内機１の意匠面を形成する前面パネル１１が設けられている。
【００１２】
室内機筐体１０の左右側面は、右側面パネル１２および左側面パネル１３で形成されている。右側面パネル１２および左側面パネル１３は、各々樹脂材を用いて所定の曲率を有する曲面に形成されており、左右対称形状とされている。
【００１３】
室内機筐体１０の天面には、室内機１内部に空気を取り込むための吸込口１４が設けられており、吸込口１４を覆うように樹脂材で格子状に形成された吸込グリル１４ａが設けられている。また、前面パネル１１の下方には、室内機１で冷媒と熱交換を行った空気を室内に吹き出するための吹出口１５が設けられている。
【００１４】
図２に示すように、吸込グリル１４ａで覆われた吸込口１４と吹出口１５とを繋ぐ通風路２０中には、吸込口から室内空気を吸い込み、吹出口１５から吹き出すための送風ファン２１が設けられており、また、送風ファン２１の上方には逆Ｖ字型とされた熱交換器２２が配置されている。送風ファン２１や熱交換器２２は、室内機１を壁面に取り付けるためのベース１６に固定されている。
【００１５】
また、通風路２０における熱交換器２２の上流側（熱交換器２２と、前面パネル１１および吸込グリル１４ａとの間）には、室内機１内部に取り込んだ空気に含まれる塵埃を除去するためのフィルタ１８が配置されている。
【００１６】
吹出口１５は、ベース１６の下部と前面パネル２に取り付けられたケーシング１７ の下面とで形成されており、吹出口１５には、吹出口１５から吹き出される空気を上下方向に偏向する第１上下風向板２４と、第１上下風向板２４より下方に配置された第２上下風向板２５とが設けられている。また、図２（Ｂ）に示すように、第１上下風向板２４および第２上下風向板２５から見て吹出口１５の上流側（室内機筐体１０の内部側）には、吹出口１５から吹き出される空気を左右方向に偏向する左右風向板２３が設けられている。これら左右風向板２３、第１上下風向板２４、および、第２上下風向板２５は、各々樹脂材で形成されている。また、ベース１６の下端部と第２上下風向板２５との間には、フェルト 等で形成され通風路２０で発生する結露水を吸収するシール材１９が配置されている。
【００１７】
図１および図２に示すように、左右風向板２３と第１上下風向板２４および第２上下風向板２５との間には、ファンガード３０が配置されている。図３に示すように、ファンガード３０は、１８本の縦桟３１および６本の横桟３２で構成されている。
【００１８】
縦桟３１は、３本の縦桟３１ａ、２本の縦桟３１ｂ、および、１３本の縦桟３１ｃからなる。縦桟３１ｂは直線形状に形成されており、また、縦桟３１ａおよび縦桟３１ｃは、所定角度で折り曲げられた屈曲部３５を有する。屈曲部３５は、図２（Ｂ）に示すように、ファンガード３０を吹出口１５に取り付けた際に吹出口１５の下流側に凸となるように、また、左右風向板２３の前端部形状に対応する形状となるように形成されており、屈曲部３５は後述する取付部３４より下流側に配置される。
【００１９】
縦桟３１ａ、および、縦桟３１ｂの上端部は、クランク状に折り曲げ加工されたフック部３３を有する。フック部３３は、ファンガード３０を吹出口１５に取り付ける際に、ケーシング１７の下面に設けられた図示しない係り孔に挿入される。
【００２０】
縦桟３１ｂの下端部は、先端を曲げて輪を形成し所定内径寸法の丸孔になるよう加工された取付部３４となっている。取付部３４は、ファンガード３０を吹出口１５に取り付ける際に、ベース１６の下端部にネジ止めするために設けられており、丸孔の内径寸法はネジ径に対応する寸法とされている。
尚、上記フック部３３や取付部３４を除いた縦桟３１ａや縦桟３１ｂの高さ寸法、および、縦桟３１ｃの高さ寸法は、吹出口１５の上下方向の寸法に対応する高さ寸法とされている。
【００２１】
６本の横桟３２は、両端部がクランク状に折り曲げられており、その先端部が直線形状とされた平坦部３６となっている。横桟３２は、平坦部３６の形成後の幅寸法が吹出口１５の左右方向の寸法に対応する幅寸法とされている。
以上説明した縦桟３１および横桟３２は、所定の太さ（例えば、１ｍｍ）の鉄線を用いて形成される。
【００２２】
ファンガード３０は、以下のような手順で形成される。まず、治具等を用いて縦桟３１ａおよび縦桟３１ｃを所定箇所に互いに平行となるように並べ、次に、横桟３２を所定の寸法間隔で互いに平行となるように、かつ、縦桟３１ａおよび縦桟３１ｃと交差するように配置し、横桟３２と縦桟３１ａおよび縦桟３１ｃとを溶接する。このとき、所定の寸法間隔は、人の手指が入らない寸法とされる。次に、横桟３２の左右両端をクランク状に折り曲げ加工して平坦部３６を形成する。このとき、各横桟３２の平坦部３６が同一平面上に位置するように折り曲げ加工する。次に、平坦部３６の端部と縦桟３１ｂとを溶接する。最後に、溶接が完了したファンガード３０にめっきや塗装等を施して、ファンガード３０が完成する。
【００２３】
次に、図２（Ｂ）を用いて、ファンガード３０の室内機１への取り付けについて説明する。前述したように、ファンガード３０は、吹出口１５における左右風向板２３と第１上下風向板２４および第２上下風向板２５との間に配置される。
【００２４】
まず、ファンガード３０のフック部３３を、吹出口１５上方のケーシング１７に設けられた図示しない係り孔に挿入する。尚、係り孔は、フック部３３の位置に対応して配置されている。次に、ファンガード３０の取付部３４を、通風路２０の下端部であるベース１６の下端部 にネジ止めする。尚、ネジ止め位置は、図２（Ｂ）に示すように、ファンガード３０を取り付けたときに、ファンガード３０が左右風向板２３に当たらないよう、かつ、第１上下風向板２４および第２上下風向板２５の回動に干渉しないよう、決められている。
【００２５】
次に、図１乃至図３を用いて、本実施形態におけるファンガード３０の効果について説明する。室内機１が運転を開始すると、送風ファン２１が駆動して吸込口１４から室内機１内部へ室内空気が取り込まれる。取り込まれた空気は熱交換器２２で冷媒と熱交換を行い、左右風向板２３や第１上下風向板２４および第２上下風向板２５によって左右方向もしくは上下方向に風向が偏向されて吹出口１５から室内に吹き出される。
【００２６】
室内機１が冷房運転を行っている場合は、熱交換器２２で冷媒と熱交換を行って冷却された空気が吹出口１５から吹き出される。このとき、ファンガード３０は吹き出される冷却空気によって冷やされ、冷やされたファンガード３０に室内空気が接触することによって結露が発生する虞がある。
【００２７】
一方、吹出口１５から吹き出される空気量は吹出口１５の各所で均一ではなく、中央部から吹き出される空気量に比べて左右両端部から吹き出される空気量が少なくなるため、左右両端部から吹き出される空気の流速は中央部から吹き出される空気の流速に比べて遅くなる。これにより、ファンガード３０の左右両端部は、中央部付近と比べて接触する室内空気量が多くなる 。
【００２８】
従って、ファンガード３０で発生する結露水の量は、空気の流速が早い中央部と比べて、空気の流速が遅い左右両端部の方が多くなる。このとき、ファンガード３０の左右両端部の形状が中央部と同じ形状である場合は、ファンガード３０の左右両端部で発生した結露水が屈曲部３５に溜って水滴となり、この水滴が第２上下風向板２５に滴下し第２上下風向板２５を伝って室内に滴下する虞がある。
【００２９】
これに対し、本実施形態のファンガード３０における空気の流速が遅くなる吹出口１５の左右両端部に対応する箇所は、図２（Ａ）および図３に示すように、平坦部３６となっており、平坦部３６に溶接されている縦桟３１ｂは直線形状となっている。これにより、ファンガード３０の左右両端部では、屈曲部３５のようにベース１６の下端部（取付部３４）より下流側に突出する箇所がなく、また、発生した結露水が溜まる箇所がないため結露水が大きな水滴となりづらい。また、発生した結露水は、縦桟３１ｂを伝ってベース１６の下端部（取付部３４）に流れ、ベース１６の下端部と第２上下風向板２５との間に配置されたシール材１９に吸収される 。従って、ファンガード３０の左右両端部で発生した結露水が、第２上下風向板２５に滴下し第２上下風向板２５を伝って室内に滴下することを抑制できる。
【００３０】
以上説明した通り、本発明の空気調和機は、ファンガード３０の長手方向の両端部には平坦部３６が設けられており、屈曲部３５は平坦部３６より吹出口１５の下流側に配置されるとともに、平坦部３６の下端部に設けられた取付部３４が通風路２０の下端部であるベース１６の下端部に取り付けられているので、結露水の発生量が多くなるファンガード３０の長手方向の両端部において、発生した結露水が上下風向板に滴下する、あるいは、直接室内に滴下することなく、平坦部１６に接続された縦桟３１ｂを伝ってベース１６の下端部へと流れる。従って、ファンガード３０の長手方向の両端部で発生した結露水が、室内機１が設置された室内に滴下することを抑制できる。 
【符号の説明】
【００３１】
１  室内機
１０  室内機筐体
１４吸込グリル
１５  吹出口
１６  ベース
１７  ケーシング
１９  シール材
２０  通風路
２１  送風ファン
２３  左右風向板
２４  第１上下風向板
２５  第２上下風向板
３０  ファンガード
３１、３１ａ、３１ｂ、３１ｃ  縦桟
３２  横桟
３３  フック部
３４  取付部
３５  屈曲部
３６  平坦部
【図１】
2014145508.tif 000003
【図２】
2014145508.tif 000004
【図３】
2014145508.tif 000005